(57)【特許請求の範囲】
【請求項１】
紙面をブロックに分割し、ブロック毎に商品情報を配置することによって紙面のレイアウトデザインを行うレイアウトデザイン装置において、上記各ブロックへ商品情報を配置する商品情報配置手段と、上記各ブロックへの商品情報の配置状況を示す商品配置情報と該商品配置情報と異なる商品情報を示す差し替え商品配置情報とを記憶する配置情報記憶手段と、少なくとも一つの上記商品配置情報を基本商品配置情報として確定する基本商品配置情報確定手段と、上記配置情報記憶手段から読み出した差し替え商品配置情報を上記基本商品配置情報と差し替え結合を行う商品情報結合手段と、を具備することを特徴とするレイアウトデザイン装置。
【請求項２】
紙面をブロックに分割し、ブロック毎に商品情報を配置することによって紙面のレイアウトデザインを行うレイアウトデザイン装置に、上記各ブロックへ商品情報を配置するステップと、上記各ブロックへの商品情報の配置状況を示す商品配置情報と該商品配置情報と異なる商品情報を示す差し替え商品配置情報とを記憶するステップと、少なくとも一つの上記商品配置情報を基本商品配置情報として確定するステップと、配置情報記憶手段から読み出した差し替え商品配置情報を上記基本商品配置情報と差し替え結合を行うステップと、を実行させるレイアウトデザインプログラムを記録した記憶媒体。
【発明の詳細な説明】
【０００１】
【発明の属する技術分野】
本発明は、ＤＴＰなどに使用されるコンピュータ装置に係り、特にチラシ、カタログ等のレイアウトデザインを行うレイアウトデータデザイン装置に関するものである。
【０００２】
【従来の技術】
多数の商品、製品が印刷されるチラシやカタログなどのレイアウトデザインを行う場合には、商品、製品が印刷される紙面を多数のブロックに分割し、その各ブロック毎に１ブロック１商品（製品）を配置することにより、紙面のレイアウトデザインを行っていた。また、商品（製品）は、商品名、商品説明、価格、写真などの商品についての様々な商品情報の総合情報からなり、商品自動流し込みと呼ばれる手段で、ある特定のパターンに基づいて商品をブロックに基づいて配置することにより紙面のレイアウトデザインを行っていた。
【０００３】
さらに、多数の店舗毎に独自のチラシを作成する場合に、各店舗毎にチラシに掲載する商品やチラシ自体のレイアウトデザインに違いがある。そのため、チラシを作成する場合には、各店舗がほぼ同一のレイアウトデザインのチラシでありながら、掲載する商品が少しずつ異なるため、各店舗のチラシ毎に商品配置を行い、商品情報自動流し込みにより各商品内のレイアウトデザインを行うという作業をおこなっていた（図１５参照）。
【０００４】
【発明が解決しようとする課題】
しかしながら、各店舗毎にレイアウトデザインを作成するという仕方では、全ての店舗のチラシに印刷される商品に変更、取消などがあった場合には、全ての店舗のチラシについて当該商品を含めた全てのレイアウトデザインの変更を行わなければならず、オペレータの作業負担の増大や、チラシ作成の際に商品の変更、取消などが行われないミスが生じた。
【０００５】
本発明は、以上説明した事情に鑑みてなされたものであり、多数の店舗に使用される多数のチラシを作成する際に、効率的にレイアウトデザインを行えうるレイアウトデザイン装置およびレイアウトデザインプログラムを記録した記憶媒体を提供するものである。
【０００６】
【課題を解決するための手段】
上記目的を達成するために本発明の請求項１に係る発明のレイアウトデザイン装置は以下の構成を備える。紙面をブロックに分割し、ブロック毎に商品情報を配置することによって紙面のレイアウトデザインを行うレイアウトデザイン装置において、上記各ブロックへ商品情報を配置する商品情報配置手段と、上記各ブロックへの商品情報の配置状況を示す商品配置情報と該商品配置情報と異なる商品情報を示す差し替え商品配置情報とを記憶する配置情報記憶手段と、少なくとも一つの上記商品配置情報を基本商品配置情報として確定する基本商品配置情報確定手段と、上記配置情報記憶手段から読み出した差し替え商品配置情報を上記基本商品配置情報と差し替え結合を行う商品情報結合手段と、を具備することを特徴とするレイアウトデザイン装置である。
【０００７】
また、上記目的を達成するために本発明の請求項２に係る発明のレイアウトデザイン装置は以下の構成を備える。紙面をブロックに分割し、ブロック毎に商品情報を配置することによって紙面のレイアウトデザインを行うレイアウトデザイン装置に、上記各ブロックへ商品情報を配置するステップと、上記各ブロックへの商品情報の配置状況を示す商品配置情報と該商品配置情報と異なる商品情報を示す差し替え商品配置情報とを記憶するステップと、少なくとも一つの上記商品配置情報を基本商品配置情報として確定するステップと、配置情報記憶手段から読み出した差し替え商品配置情報を上記基本商品配置情報と差し替え結合を行うステップと、を実行させるレイアウトデザインプログラムを記録した記憶媒体である。
【０００８】
【発明の実施の形態】
以下、図面を参照してこの発明の実施の形態の構成を説明する。まず、 図１はこの発明の一例であるレイアウトデザイン装置のハードウエア構成を示すブロック図である。図１３は本装置の処理及びデータの流れを示す図である。 図１において、１はＣＰＵであり、バス２を介して種々の構成部分に接続されており、これによって装置全体の制御が行われる。また、３はマウス、４はキーボードであり、これらによって各種のデータが入力される。５はメモリであり、ＣＰＵの制御の下、チラシ紙面作成処理に関する情報や、商品情報の処理に関する情報が格納される。６はカラープリンタであり、ＣＰＵ１の制御の下、チラシ紙面を印刷する。７は各種の情報やチラシ紙面を表示するディスプレイであり、８は商品情報や画像データを格納する外部記憶装置である。また、９はＣＰＵ１に供給するプログラムを格納した記憶媒体であり、本例ではＣＤ−ＲＯＭを用いているが、ＭＯ、ＦＤなどを用いることもできる。さらに、インターネットなどのネットワークによりプログラムを通信する通信媒体も含んでいるものである。つまり、プログラムを格納または通信できる媒体なら使用できるものである。
【０００９】
図２〜図１４は本発明のレイアウトデザイン装置において、チラシを作成するための具体的な説明図である。チラシを作成する際に基本となるレイアウトデザインを作成する。なお、この基本となるレイアウトデザインにより作成されるチラシを用いる店舗を、Ａ店舗とする。まず、マウス３、キーボード４などの入力手段により、ディスプレイ７でチラシの紙面をブロックに分割する指示を行う（ 図２参照）。例えば、この紙面のブロック分割をデータデータベース表すと図３に示されるような情報で表せ、このブロック分割情報はメモリに格納される。次いで、指示書などに従ってブロック毎に配置される商品の画像を、商品の画像が格納されている商品データベースから選択して、各ブロックに配置することにより、チラシが作成される。チラシの紙面のブロックに商品を配置した図は、 図４に示されるような図として示される。そして、ブロックとブロックに配置された商品の画像は、図５に示されるように関連付けられてハードウエアまたはメモリに記憶される。
【００１０】
次いで、Ａ店舗とチラシのレイアウトデザインの異なるＢ店舗のチラシを作成する場合には、Ｂ店舗で使用するチラシを作成して上記基本チラシのレイアウトデザインと異なる部分を抜き出し、この異なる部分にのみ商品の配置を行う（図６参照）。この商品の配置された情報を差し替え商品配置情報として（図７参照）、ハードウエアまたはメモリに記憶される。なお、本例ではＢ店舗に関してしか具体的に記載していないが、多数の店舗の異なるレイアウトデザインにも対応することができる。また、基本レイアウトデザインと異なる部分のみハードディスクやメモリに記憶することができるので、記憶するデータ量を少なくして、多数の店舗用のチラシを作成することができる。
【００１１】
次いで、Ａ店舗用のチラシをカラープリンタなので出力する場合は、紙面ブロック分割情報とＡ店舗用商品配置情報に基づき、各商品について商品情報自動流し込み手段により商品情報を紙面上に自動レイアウトして、カラープリンターで出力する。また、Ｂ店舗用のチラシを出力するためには、まず、商品情報結合手段においてレイアウトデザインの基本となるＡ店舗用商品配置情報と、Ｂ店舗用差し替え配置情報とから以下に示す手順で結合処理を行い、次いで、チラシをカラープリンタで出力する。まず、図８に示すようにＡ店舗用商品配置情報において、Ｂ店舗用差し替え配置情報と同一ブロックに配置されている商品情報を排除する。なお、図１０に示すように、排除された商品情報の配置されるブロックは、空白となる。次いで、図９に示すようにＢ店舗用差し替え商品配置情報を追加することにより、Ｂ店舗用の商品配置情報を作成することができる。なお、 図１１に示すように、差し替えらた商品情報に対応して、差し替えらた商品はブロックに配置される。
【００１２】
例えば、商品０５はＡ店舗、Ｂ店舗の両店のチラシに共通して掲載されている商品であるが、この商品が掲載中止となり、変わりに商品９９を掲載することとなった場合には、商品９９を商品情報データベースから選択して、商品０５と入れ替えることにより、Ａ店舗用の商品配置情報が作成される（図１２、図１３参照）。また、Ｂ店舗用のチラシに関しても、商品配置情報結合手段により、商品０５から商品９９へ商品の差し替えを行うことができるので、基本レイアウトデザインを変更すれば、応用レイアウトデザインは自動に変更することになるので、処理量を軽減することができる。
【００１３】
また、本発明に係るプログラムを格納した記憶媒体からプログラムをレイアウトデザイン装置に読み出すことによって、予め定められた方法でレイアウトデザイン装置は動作することなる。
【００１４】
【発明の効果】
以上説明したように、請求項１、請求項２の構成によれば、基本となるレイアウトデザインを作成すれば、この基本レイアウトデザインと異なる部分だけを変更することだけで多数のレイアウトデザインを作成することができる。よって、オペレータの作業量を軽減できる。また、多数のレイアウトデザインの一部を変更する際にでも、すべてのレイアウトデザインを変更する必要はなく、基本レイアウトデザインすれば全てのレイアウトデザインを変更することができる。これにより、オペレータの作業量を軽減できると共に、変更わすれなどのミスを防止することができる。
【図面の簡単な説明】
【図１】本発明の実施の形態を示すブロック図である。
【図２】同実施の形態における基本となる紙面のブロック分割を示す図である。
【図３】同実施の形態における基本となる紙面の分割情報を示す図である。
【図４】同実施の形態におけるブロックへ商品を配置した紙面の一例を示す図である。
【図５】図４に示した商品のブロックへの配置状態を表す商品配置情報を示す図である。
【図６】チラシの基本レイアウトデザインと異なる部分のみに商品をブロックへ配置した紙面の一例を示す図である。
【図７】図６に示した商品のブロックへの配置状態を表す商品配置情報を表す図である。
【図８】差し替え配置情報と同一ブロックに配置されている商品情報を排除した商品配置情報を表す図である。
【図９】配置情報を差し替えた商品のブロックへの配置状態を表す商品配置情報を表す図である。
【図１０】差し替え配置情報と同一ブロックに配置されている商品情報を排除した場合のブロックへ商品を配置した紙面の一例を示す図である。
【図１１】配置情報を差し替えた商品のブロックへ商品を配置した紙面の一例を示す図である。
【図１２】図４に示したチラシの紙面に対して、商品０５を商品９９に変更した結果を表した図である。
【図１３】図１０における商品配置情報を示した図である。
【図１４】本装置の処理及びデータの流れを示す図である。
【図１５】従来の処理及びデータの流れを示す図である。
【符号の説明】
１……ＣＰＵ ２……バス ３……マウス ４……キーボード ５……マウス
６……カラープリンター ７……ディスプレイ ８……外部記憶装置
９……ＣＤ−ＲＯＭ
【図１】
0004269352.tif 000002
【図２】
0004269352.tif 000003
【図３】
0004269352.tif 000004
【図４】
0004269352.tif 000005
【図５】
0004269352.tif 000006
【図６】
0004269352.tif 000007
【図７】
0004269352.tif 000008
【図８】
0004269352.tif 000009
【図９】
0004269352.tif 000010
【図１０】
0004269352.tif 000011
【図１１】
0004269352.tif 000012
【図１２】
0004269352.tif 000013
【図１３】
0004269352.tif 000014
【図１４】
0004269352.tif 000015
【図１５】
0004269352.tif 000016